(57)【特許請求の範囲】
【請求項１】
異なる複数の音源、
操作に応じて第１の指示信号を発生する第１の操作手段、
操作に応じて第２の指示信号を発生する第２の操作手段、
指令に基づき、上記音源のいずれかを選択する第１の選択手段、
指令に基づき、上記音源のいずれかを選択する第２の選択手段、
上記第１の選択手段が選択した音源の出力信号を増幅する第１の増幅手段、
上記第２の選択手段が選択した音源の出力信号を増幅する第２の増幅手段、
上記第１の増幅手段が増幅した信号を音声信号として出力する第１のスピーカ、
上記第２の増幅手段が増幅した信号を音声信号として出力する第２のスピーカ、
上記第２の選択手段が選択した音源の出力信号を出力するヘッドフォン、
指令に基づき、上記第２の増幅手段の減衰量を調節する減衰量調節手段、
上記第１の操作手段により上記音源を選択した際は、この音源を上記第１の選択手段と上記第２の選択手段に選択させるとともに上記第１の増幅手段と上記第２の増幅手段を動作させて上記第１のスピーカと上記第２のスピーカと上記ヘッドフォンから音声を出力させる動作制御手段を備え、
上記動作制御手段は、上記第１の操作手段により上記第１の選択手段と上記第２の選択手段とが所定の音源を選択している際に、上記第２の操作手段が所定の音源と異なる音源を選択した場合、上記減衰量調節手段の減衰量を大きくすることを特徴とする車載用音響装置。
【請求項２】
動作制御手段は、第１の選択手段が所定の音源を選択している際に、第２の選択手段が上記所定の音源と同じ音源を選択した際にも、減衰量調節手段の減衰量を大きくすることを特徴とする請求項１に記載の車載用音響装置。
【請求項３】
第１の操作手段は前席側に設け、第２の操作手段は後席側に設けたことを特徴とする請求項１または請求項２に記載の車載用音響装置。
【発明の詳細な説明】
【０００１】
【発明の属する技術分野】
本発明は、複数の音源を有した１つの車載用音響装置に対し、複数の操作手段からのそれぞれの操作に対応する音源それぞれの動作制御を行う車載用音響装置に関する。
【０００２】
【従来の技術】
図２３は自動車等の移動体に搭載された従来の一般的な車載用音響装置を示す概略構成図、図２４はこの装置の動作を示すフローチャートである。
図２３において、１は自動車等の移動体のインパネ部（図示せず）に設けられた装置コントローラ部、２はリモート操作可能なリモートコントローラ部である。
【０００３】
３はマイコンであり、マイコン３は装置コントローラ１かリモートコントローラ部２かを操作した際に、この操作されたコントローラ側に切換える切換部３ａと、装置コントローラ部１やリモートコントローラ部２からの操作に基づき、音源４へのコントロール信号の出力や選択部５、及び減衰量調節手段６（それぞれ後述する）の動作制御を行う動作制御手段３ｂから構成されている。
なお、切換部３ａは動作制御手段３ｂに連動する。
４は複数の音源であり、ＡＭ／ＦＭ放送を受信するＡＭ／ＦＭラジオチューナー部４ａ、カセットテープを再生動作させるカセットテーププレーヤー４ｂ、ＣＤ（コンパクトディスク）を再生動作させるＣＤプレーヤー４ｃを有している。
【０００４】
また、５は動作制御手段３の指令に基づき、端子５ａ〜５ｃのいずれかに切換えて、ＡＭ／ＦＭラジオチューナー部４ａか、カセットテーププレーヤ４ｂか、ＣＤプレーヤ４ｃのいずれかを選択する選択手段である。
【０００５】
さらに、６は動作制御手段３のコントロール信号に基づき、選択手段５で選択されたＡＭ／ＦＭラジオチューナー部４ａの音声信号に対して所定の減衰量を付加する減衰量調節手段、７は減衰量調節手段６から出力された信号を増幅する増幅手段、８は増幅手段７で増幅された信号を出力する自動車室内の前部に設けられたフロントスピーカ、９は増幅手段７で増幅された信号を出力する自動車室内の後部に設けられたリアスピーカである。
【０００６】
次に、従来の車載用音響装置の動作について、図２４のフローチャートを用いて説明する。
まず所定の操作に基づき、装置が動作開始し（ステップ２４００）、動作制御手段３は装置コントローラ１かリモートコントローラ２から電源オン、即ち、パワーオン操作の有無を判断し（ステップ２４０１）、このステップ２４０１でパワーオン操作ありと判断した際、動作制御手段３がモードの選択操作の有無を判断する（ステップ２４０２）。
【０００７】
このステップ２４０２でモード選択操作ありと判断した場合、動作制御手段３は選択手段５をこの設定モード（例えば、ＡＭ／ＦＭラジオのモード）に切換えて設定し（ステップ２４０３）、このステップ２４０３の処理後、減衰量調節手段６、増幅手段７を経由してフロントスピーカ８及びリアスピーカ９から音声を出力する（ステップ２４０４）。
【０００８】
このステップ２４０４の処理後、動作制御手段３が装置コントローラ１かリモートコントローラ２からのモードの選択操作の有無を再度判断し（ステップ２４０５）、選択操作ありと判断した場合、ステップ２４０１に戻り、処理を継続する。
【０００９】
なお、ステップ２４０１で操作なしと判断された場合、動作制御手段３は装置コントローラ１かリモートコントローラ２に対して直接モード選択操作なされたか否か判断し（ステップ２４０６）、このステップ２４０６で操作ありと判断した場合、ステップ２４０３に進み、動作制御部３は選択手段５をこの設定モードに切換えて設定する。
【００１０】
ステップ２４０６で操作なしと判断した場合、動作制御手段３は誤作動と判断しステップ２４０１に戻り、処理を繰り返す。
【００１１】
また、ステップ２４０２でモード選択操作なしと判断された場合、ステップ２４００で動作が開始される直前に設定されていた再生音源モード（例えば直前にＣＤプレーヤ４ｃを選択していた場合、ＣＤプレーヤ４ｃ）を選択し（ステップ２４０７）、このステップ２４０７の処理後、減衰量調節手段６、増幅手段７を経由してフロントスピーカ８及びリアスピーカ９から音声を出力し（ステップ２４０８）、このステップ２４０８の処理後、ステップ２４０５に進み処理を継続する。
【００１２】
また、ステップ２４０５でモード選択操作なしと判断した場合、動作制御手段３が装置コントローラ１かリモートコントローラ２からパワーオフ操作の有無を判断し（ステップ２４０９）、装置の動作を終了させ、ステップ２４０１に戻り、パワーオン待機状態になる。
さらに、ステップ２４０９でパワーオフ操作なしと判断した場合、ステップ２４０５に戻り、処理を繰り返す。
【００１３】
【発明が解決しようとする課題】
従来の車載用音響装置は以上のように構成されているので、複数のユーザが各々異なるメディアを選択して所望の音声出力を得ることができず、即ち、複数のメディアを有した１つの装置で同時に２つのメディアを選択することはできず、利用者の利便性が悪いという問題があった。
【００１４】
また、仮に２つの音響装置を車両に用いた場合でも、フロントスピーカとリアスピーカとから出力される音声の減衰量を調節するものでないため、各音響装置が出力する音声が混同してしまうという問題があった。
【００１５】
この発明はかかる問題を解決するためになされたもので、指令に基づき、第２の増幅手段の減衰量を調節する第２の減衰量調節手段と、第１の操作手段の操作と第２の操作手段の操作との関係に基づき、第１の選択手段、第２の選択手段、第１の減衰量調節手段、及び第２の減衰量調節手段に対して所定の指令を与えて、各々の手段の動作制御を行わせるよう構成することにより、第１の選択手段が選択している音源以外の音源であれば第２の選択手段でも操作できる車載用音響装置を得ることを目的としている。
【００１６】
また、この発明は、第１、第２の選択手段とも異なる所定の音源を選択している際、第２の選択手段が選択した音源の音声出力に対し、減衰の度合いを大きくすることにより、第１の操作手段を操作した第１の操作者と、第２の操作手段を操作した第２の操作者とのそれぞれが良好に音声を聴取することができる車載用音響装置を得ることを目的とする。
【００１７】
さらに、この発明は、第１の操作手段の操作か、第２操作手段の操作かのどちらか所望の操作を他方の操作より優先させるよう設定し、利便性の向上を図ることができる車載用音響装置を得ることを目的とする。
【００１８】
【課題を解決するための手段】
この発明に係る車載用音響装置は、異なる複数の音源と、操作に応じて第１の指示信号を発生する第１の操作手段と、操作に応じて第２の指示信号を発生する第２の操作手段と、
指令に基づき、音源のいずれかを選択する第１の選択手段と、指令に基づき、音源のいずれかを選択する第２の選択手段と、第１の選択手段が選択した音源の出力信号を増幅する第１の増幅手段と、第２の選択手段が選択した音源の出力信号を増幅する第２の増幅手段と、第１の増幅手段が増幅した信号を音声信号として出力する第１のスピーカと、第２の増幅手段が増幅した信号を音声信号として出力する第２のスピーカと、第２の選択手段が選択した音源の出力信号を出力するヘッドフォンと、指令に基づき、第２の増幅手段の減衰量を調節する減衰量調節手段と、第１の操作手段により音源を選択した際は、この音源を第１の選択手段と第２の選択手段に選択させるとともに第１の増幅手段と第２の増幅手段を動作させて第１のスピーカと第２のスピーカとヘッドフォンから音声を出力させる動作制御手段を備え、動作制御手段は、第１の操作手段により第１の選択手段と第２の選択手段とが所定の音源を選択している際に、第２の操作手段が所定の音源と異なる音源を選択した場合、減衰量調節手段の減衰量を大きくするものである。
【００１９】
この発明に係る車載用音響装置の動作制御手段は、第１の選択手段が所定の音源を選択している際に、第２の選択手段が所定の音源と同じ音源を選択した際にも、減衰量調節手段の減衰量を大きくするものである。
【００２０】
この発明に係る車載用音響装置は、第１の操作手段は前席側に設け、第２の操作手段は後席側に設けたものである。
【００２８】
【発明の実施の形態】
実施の形態１.
図１は実施の形態１に係る車載用音響装置の全体構成図、図２は図１の車載用音響装置の要部の詳細を示す要部詳細図、図３は図１の車載用音響装置の要部の詳細を示す要部詳細図、図４は図１の車載用音響装置の全体動作を示すフローチャート、図５は図１の車載用音響装置の初期動作を示すフローチャート、図６〜図９は図１の車載用音響装置の中期動作を示すフローチャート、図１０は図１の車載用音響装置の終期動作を示すフローチャート、図１１は図１の車載用音響装置の動作説明図である。
【００２９】
図１、図２において、１１は前席（図示せず）の着座者の操作に応じて第１の指示信号を発生する第１の操作手段、１２は後席（図示せず）の着座者の操作に応じて第２の指示信号を発生する第２の操作手段である。これら第１の操作手段１１と第２の操作手段１２はそれぞれ図２、３に示すような操作キーをそれぞれ有している。
【００３０】
ここで、図２を用いて第１の操作手段１１の構成についてそれぞれ説明する。
１１１１は押圧操作により電源の投入または遮断（以降、パワーオンまたはパワーオフと称す）を行い、回動操作により音量（ボリューム）調整を行う電源／ボリューム操作部、１１１２は引き出された位置で回動操作を行うと高音、通常位置で回動操作を行うと低音の調整を行う高音／低音操作部である。
【００３１】
１１１３は引き出された位置で回動操作を行うと左右のバランス調整、通常位置で回動操作を行うとフェーダー調整を行うバランス／フェーダー操作部、１１１４は押圧操作によりＡＭ／ＦＭラジオチューナー１４ａ（後述する）を選択するＡＭ／ＦＭラジオ選択部、１１１５は押圧操作によりＣＤプレーヤー１４ｃ（後述する）を選択するＣＤ選択部、１１１６は押圧操作によりカセットテーププレーヤー１４ｂ（後述する）を選択するテープ選択部である。
【００３２】
次に、装置の機能操作を行う操作部は１１１７〜１１２３であり、全て押圧操作により操作されるものであり、１１１７はシークアップ操作部、１１１８はシークダウン操作部、１１１９はスキャンアップ操作部、１１２０はスキャンダウン操作部、１１２１は複数のプログラム制御を行わせるプログラム操作部、１１２２はリピート操作部、１１２３はランダム操作部である。
【００３３】
また、１１２４〜１１２９はプリセット操作部であり、それぞれ１〜６のプリセット番号に対応している。
１１３０は表示部、１１３１はＣＤの挿入口、１１３２はカセットテープの挿入口、１１３３は装置内に挿入されているＣＤを排出させるＣＤイジェクト操作部、１１３４は装置内に挿入されているカセットテープを排出させるカセットテープイジェクト操作部である。
【００３４】
次に、図３を用いて第２の操作手段１２の構成について説明する。
第２の操作手段１２の操作部は全て押圧操作により操作されるものであり、１２１１は電源の投入または遮断を行う電源操作部、１２１２はＡＭ／ＦＭラジオチューナー１４ａ（後述する）を選択するＡＭ／ＦＭラジオ選択部、１２１３はＣＤプレーヤー１４ｃ（後述する）を選択するＣＤプレーヤー選択部、１２１４はカセットテーププレーヤー１４ｂ（後述する）を選択するカセットテープ選択部である。
また、１２１５はプリセット操作部であり、それぞれ１〜１０のプリセット番号に対応している。
【００３５】
次に、装置の機能操作を行う操作部は１２１６〜１２２４であり、１２１６はシークアップ操作部、１２１７はシークダウン操作部、１２１８はスキャンアップ操作部、１２１９はスキャンダウン操作部、１２２０は複数のプログラム制御を行わせるプログラム操作部、１２２１はリピート操作部、１２２２はランダム操作部、１２２３はボリュームアップ操作部、１２２４はボリュームダウン操作部である。
【００３６】
なお、電源／ボリューム操作部１１１１、電源操作部１２１１に対し押圧操作が行われた場合、装置がパワーオフ状態の際に、ＡＭ／ＦＭラジオチューナー選択部１１１４、ＣＤプレーヤ選択部１１１５、またはテープ選択部１１１６のいずれかを押圧操作した場合、モード選択処理とともにパワーオン処理とが行われ、単にパワーオンした際は、装置が直前に選択したモードを選択するようになっている。
【００３７】
１３は第１の操作手段１１と第２の操作手段１２とからの操作に基づき、第１の選択手段１５、第２の選択手段１６、第１の減衰量調節手段１７、及び第２の減衰量調節手段１８に対して所定の指令を与えて、第１の選択手段１５、第２の選択手段１６、第１の減衰量調節手段１７、及び第２の減衰量調節手段１８（いずれも後述する）の各々の手段の動作制御を行う動作制御手段である。
【００３８】
また、１４は複数の音源であり、ＡＭ／ＦＭラジオチューナー部１４ａと、カセットテーププレーヤ１４ｂ（以下テーププレーヤーと称す）と、ＣＤプレーヤー１４ｃとを有しており、これら複数の音源１４は動作制御手段１３から得た所定の動作コントロール信号に基づき動作制御させるようになっている。
１５は動作制御手段１３の制御信号に基づき、音源１４のいずれかを選択する第１の選択手段と、１６は動作制御手段１３の制御指令に基づき、音源１４のいずれかを選択する第２の選択手段である。
【００３９】
なお、第１の選択手段１５は動作制御手段１３からの制御信号に基づき、ＡＭ／ＦＭラジオチューナー部１４ａを選択する際は端子１５ａに、テーププレーヤー１４ｂを選択する際は端子１５ｂに、ＣＤプレーヤー１４ｃを選択する際は端子１５ｃのそれぞれに切換えて選択するようになっている。
また、第２の選択手段１６も上述した第１の選択手段１５と同様に、ＡＭ／ＦＭラジオチューナー部１４ａを選択する際は端子１６ａに、テーププレーヤー１４ｂを選択する際は端子１６ｂに、ＣＤプレーヤー１４ｃを選択する際は端子１６ｃのそれぞれに切換えて選択するようになっている。
【００４０】
また、１７は動作制御手段１３の動作コントロール信号に基づき、第１の増幅手段１８（後述する）に対する減衰量を調節する第１の減衰量調節手段、１８は動作制御手段１３の動作コントロール信号に基づき、第１の選択手段１５が選択した音源１４の出力信号を増幅する第１の増幅手段と、１９は第１の増幅手段１８が増幅した信号を音声信号として出力する第１のスピーカである。
【００４１】
さらに、２０は動作制御手段１３の動作コントロール信号に基づき、第２の増幅手段２１（後述する）に対する減衰量を調節する第２の減衰量調節手段、２１は動作制御手段１３の動作コントロール信号に基づき、第２の選択手段１６が選択した音源１４の出力信号を増幅する第２の増幅手段と、２２は第２の増幅手段２１が増幅した信号を音声信号として出力する第２のスピーカである。
また、２３は第２の選択手段１６からの出力信号を直接受けることができるヘッドフォンである。
【００４２】
なお、上述した第１、第２の選択手段１５、１６は、各々、動作制御手段１３からの動作コントロール指令を受けてスタンバイ状態にするかスタンバイ状態を解除するか切換わるようになっており、スタンバイ状態の際は、増幅されないため第１、第２のスピーカ２１、２２（後述する）から音声を殆ど出力させることができない。
なお、完全に第１、第２のスピーカ２１、２２から音声を出力しないようにしても良い。
【００４３】
また、２１は第１の増幅手段１９が増幅した信号を音声信号として出力する第１のスピーカ、２２は第２の増幅手段２０が増幅した信号を音声信号として出力する第２のスピーカである。
さらに、２３は第２の選択手段１６が選択した音源１４の出力信号を出力するヘッドフォンである。
【００４４】
次に、本実施の形態１の車載用音響装置の動作について、図４〜図１０のフローチャートを用いて説明する。
ここで、図４は図５〜図１０の車載用音響装置の全体動作処理の流れを示すフローチャーチであり、まず図４を用いて説明する。
図５は装置に対し所定の操作が行われた際の初期動作処理を示し、図６〜図９は図５の初期動作処理後に第１、２の操作手段１１、１２への操作に応じていずれかの動作処理を行うことを示し、図１０は図６〜図９のいずれかの動作処理後装置の動作を終了させる後期動作処理を示している。
このように本実施の形態１の車載用音響装置の動作は図５の動作処理から図６〜図９のいずれかの処理を経て図１０の動作処理を行うようになっている。
【００４５】
まず、いずれかの操作により動作が開始され（ステップ５００）、このステップ５００の操作が第１の操作手段１１に設けられた電源／ボリューム操作部１１１１からのパワーオン操作か否かを動作制御手段１３が判断し（ステップ５０１）、このステップ５０１で第１の操作手段１１からのパワーオン操作ありと判断した場合は、前回に装置を終了させる直前に所定の音源１４（モード）を選択していたか否かを判断する（ステップ５０２）。
【００４６】
このステップ５０２については例えば、テーププレーヤー１４ｂを選択中にパワーオフした場合は、前回装置を終了させる直前はテーププレーヤー１４ｂを選択していたと判断することになる。
【００４７】
次に、ステップ５０２で装置を終了させる直前にカセットテーププレーヤー１４ｂを選択していたと判断した場合、第１、２の選択手段１５，１６の両者ともテーププレーヤー１４ｂを選択するようテーププレーヤー側の端子１５ｂ、１６ｂに第１、２の選択手段１５，１６を切換える（ステップ５０３）。
【００４８】
このステップ５０３の処理後、第１、２の増幅手段１８、２１のスタンバイ状態を動作制御手段１３が解除し（ステップ５０４）、第１、第２のスピーカ１９、２２及びヘッドフォン２３より音声を出力させる（ステップ５０５）。
このステップ５０５の動作処理後、図６のフローチャートに進む（ステップ５０６）。
【００４９】
また、ステップ５０１で操作なしと判断した場合、ステップ５００の操作が第２の操作手段１２からのパワーオン操作か否かを動作制御手段１３が判断し（ステップ５０７）、このステップ５０７で第２の操作手段１２からのパワーオン操作ありと判断した場合は、前回の装置終了直前に所定の音源１４（モード）を選択していたか否かを判断する（ステップ５０８）。
【００５０】
次に、ステップ５０８で装置を終了させる直前にテーププレーヤー１４ｂを選択していたと判断した場合、第２の選択手段１２のみテーププレーヤー１４ｂを選択するようテーププレーヤー１４ｂ側の端子１６ｂに第２の選択手段１６を切換える（ステップ５０９）。
【００５１】
このステップ５０９の処理後、ヘッドフォン２３のみより音声を出力し（ステップ５１０）、図７の動作処理へ進む（ステップ５１１）。
【００５２】
また、ステップ５０７で操作なしと判断した場合、ステップ５００の操作が第１の操作手段１１からの選択機能操作（例えば、選択機能操作とは第１の操作手段１１の操作部１１１４〜１１１６と操作部１１１７〜１１２９とのいずれかの操作）を行ったか否かを動作制御手段１３が判断し（ステップ５１２）、このステップ５１２で第１の操作手段１１からの選択機能操作（例えばＡＭ／ＦＭラジオの選択操作）ありと判断した場合は、第１、２の選択手段１５，１６の両者ともＡＭ／ＦＭラジオチューナー部１４ａを選択するようＡＭ／ＦＭラジオチューナー部１４ａ側の端子１５ａ、１６ａに第１、２の選択手段１５，１６を切換える（ステップ５１３）。
【００５３】
このステップ５１３の処理後、第１、２の増幅手段１８、２１のスタンバイ状態を動作制御手段１３が解除し（ステップ５１４）、第１、第２のスピーカ１９、２２及びヘッドフォン２３より音声を出力させる（ステップ５１５）。
このステップ５１５の動作処理後、図８のフローチャートに進む（ステップ５１６）。
【００５４】
さらに、ステップ５１２で操作なしと判断した場合、ステップ５００の操作が第２の操作手段１２からの選択機能操作（例えば、選択機能操作とは第１の操作手段１２の操作部１２１１〜１２１４と操作部１２１６〜１２２４とのいずれかの操作）を行ったか否かを動作制御手段１３が判断し（ステップ５１７）、このステップ５１７で第２の操作手段１２からの選択機能操作（例えばＡＭ／ＦＭラジオの選択操作）ありと判断した場合は、第２の選択手段１６のみＡＭ／ＦＭラジオチューナー部１４ａを選択するようＡＭ／ＦＭラジオチューナー部１４ａ側の端子１６ａに第２の選択手段１６を切換える（ステップ５１８）。
【００５５】
このステップ５１８の処理後、ヘッドフォン２３のみより音声を出力し（ステップ５１９）、図９の動作処理へ進む（ステップ５２０）。
【００５６】
また、ステップ５０２で前回の設定なしと判断した場合、第１の操作手段１１から選択機能操作が行われたか否かを判断し、操作があれば（例えばＡＭ／ＦＭラジオチューナー部１４ａの選択操作）第１、２の選択手段１５、１６の端子を１５ａ、１６ａ側に切換え（ステップ５２１）、ステップ５０４の処理に進む。
【００５７】
さらに、ステップ５０８で前回の設定なしと判断した場合、第２の操作手段１２から選択機能操作が行われたか否かを判断し、第１の操作手段１１に対して操作あれば（例えばＡＭ／ＦＭラジオチューナー部１４ａの選択操作）第１、２の選択手段１５、１６の端子を１５ａ、１６ａ側に切換え（ステップ５２２）、ステップ５１０に進む。
【００５８】
なお、第１、２の増幅手段１８、２１の動作／非動作の選択は動作制御手段１３の動作コントロール指令に基づき、非動作の場合はスタンバイ状態となり、動作させる場合はスタンバイ状態を解除させるようになっている。
【００５９】
次にステップ５０６の処理について、図６のフローチャートを用いて説明する。
まずステップ６００（ステップ５０６）を経て動作制御手段１３が第１の操作手段１１からの選択操作の有無を判断し（ステップ６０１）、このステップ６０１で第１の操作手段１１からの選択操作あり（例えば第１の操作手段１１よりＡＭ／ＦＭラジオ選択部１１１４の操作あり）と判断した場合は、第１、２の選択手段１５、１６の端子を１５ａ、１６ａ側に切換える（ステップ６０２）。
【００６０】
このステップ６０２の処理後、第１、第２のスピーカ１９、２２及びヘッドフォン２３より音声を出力させる（ステップ６０３）。この際、既に第１、２の増幅手段１８、２１はスタンバイ状態が解除されている。
このステップ６０３の動作処理後、動作制御手段１３が第２の操作手段１２からの選択操作の有無を判断し（ステップ６０４）、このステップ６０４で第２の操作手段１２からの選択操作ありと判断した場合、ステップ６０４での操作は単なる選択モードのみの操作であるか否か、即ち第２の操作手段１２の操作部１２１２〜１２１４を用いたか否かを動作制御手段１３が判断する（ステップ６０５）。
【００６１】
ステップ６０５の処理後、動作制御手段１３が第２の選択手段１６に対してテーププレーヤー１４ｂ側の端子１６ｂを選択するように動作コントロール指令を出力して、例えばテーププレーヤー１４ｂの動作を選択し（ステップ６０６）、動作制御手段１３は第２の減衰量調節手段２０に対して動作コントロール信号を出力し、第２の増幅手段２１の減衰量を大きくして第２のスピーカ２２からの音声信号の出力を防止する（ステップ６０７）。
このステップ６０７の動作処理後、図１０へ進み継続させる（ステップ６０８）。
【００６２】
なお、ステップ６０１で選択操作なしと判断した場合は、動作制御手段１３が第２の操作手段１２からの選択操作の有無を判断し（ステップ６０９）、このステップ６０９で第２の操作手段１２からの選択操作あり（例えば第２の操作手段１２よりＣＤプレーヤー選択部１２１３の操作あり）と判断した場合は、動作制御手段１３は第２の減衰量調節手段２０に対して動作コントロール信号を出力し、第２の増幅手段２１の減衰量を大きくして第２のスピーカ２２からの音声信号の出力を防止する（ステップ６１０）。
なお、ステップ６０９で操作なしと判断された場合は、ステップ６０１に戻り、処理を繰り返す。
【００６３】
ステップ６１０の動作処理後、第２の選択手段１６の端子のみを１６ｃ側に切換え（ステップ６１１）、ヘッドフォン２３よりＣＤの音声を出力し（ステップ６１２）、ステップ６０８へ進み動作処理が継続される。
【００６４】
さらに、ステップ６０５で単なる選択モードの処理のみでないと判断した場合動作制御手段１３は第２の操作手段１２の操作を無効とし（ステップ６１３）、ステップ６０８へ進む。
【００６５】
このステップ６１３の判断については、第１の操作手段１１によりＡＭ／ＦＭラジオを選択し、例えばＦＭラジオのｃｈ１、音量：１０レベル、左右バランス：均等と設定し受信している場合に第２の操作手段１２よりＡＭ局の選択、ＦＭ局の１ｃｈ以外の選択、ＡＭ／ＦＭラジオを選択するとともに音量７レベルへの調節、ＡＭ／ＦＭラジオを選択するとともに左右バランス：６対４への調節等の操作があった場合は、第２の操作手段からの操作を受け付けてしまうと第１の操作手段の設定条件が変更されてしまうため、このような状況の際には、第２の操作手段からの操作を無効とするようにしている。
【００６６】
次にステップ５１１の処理について、図７のフローチャートを用いて説明する。
まずステップ７００（ステップ５１１）を経て動作制御手段１３が第１の操作手段１１からの選択操作の有無を判断し（ステップ７０１）、このステップ７０１で第１の操作手段１１からの選択操作あり（例えば第１の操作手段１１のＡＭ／ＦＭラジオ選択部１１１４の操作あり）と判断した場合は、動作制御手段１３から動作コントロール信号を出力して第１、２の増幅手段１８、２１をスタンバイ解除状態にする（ステップ７０２）。
【００６７】
このステップ７０２の処理後、動作制御手段１３が第２の減衰量調節手段２０に動作コントロール信号を出力して第２の増幅手段２１の減衰量を大きくし（ステップ７０３）、動作制御手段１３はＡＭ／ＦＭラジオチューナー部１４ａを選択するため第１の選択手段１５の端子のみを１５ａ側に切換え（ステップ７０４）、このステップ７０４の処理後、第１のスピーカ１９より音声を出力させる（ステップ７０５）。このステップ７０５の動作の際、本来は第２のスピーカ２２側にも音声出力されるが、第２の減衰量調節手段により第２の増幅手段の減衰量を大きくされるため、前席ユーザーと後席ユーザーとのそれぞれに支障がないレベルとなっており、実際にはあたかも第２のスピーカ２２から音声出力がないようになっている。
【００６８】
このステップ７０５の動作処理後、動作制御手段１３が第２の操作手段１２からの選択操作の有無を判断し（ステップ７０６）、このステップ７０６で第２の操作手段１２からの選択操作ありと判断した場合、ステップ７０６での操作は単なる選択モードのみの操作であるか否か、即ち第２の操作手段１２の操作部１２１２〜１２１４を用いたか否かを動作制御手段１３が判断する（ステップ７０７）。
【００６９】
ステップ７０７の処理後、動作制御手段１３が第２の選択手段１６に対して、例えばテーププレーヤー１４ｂ側の端子１６ｂを選択するように動作コントロール指令を出力して、テーププレーヤー１４ｂの音源を選択し（ステップ７０８）、このステップ７０８の動作処理後、図１０へ進み動作を継続させる（ステップ７０９）。
【００７０】
なお、ステップ７０１で選択操作なしと判断した場合は、動作制御手段１３が第２の操作手段１２からの選択操作の有無を判断し（ステップ７１０）、このステップ７１０で第２の操作手段１２からの選択操作あり（例えば第２の操作手段１２よりＣＤプレーヤー選択部１２１３の操作あり）と判断した場合は、第２の選択手段１６の端子のみを１６ｃ側に切換え（ステップ７１１）、ヘッドフォン２３よりＣＤの音声を出力し（ステップ７１２）、このステップ７１２の処理後ステップ７０９へ進み動作処理を継続させる。
なお、ステップ７１０で操作なしと判断された場合は、ステップ７０１に戻り、処理を繰り返す。
【００７１】
さらに、ステップ７０６で単なる選択モードの処理のみでないと判断した場合は、ステップ７０６で判断された操作は第１の操作手段１１の現在の選択操作、即ちステップ７０１での選択操作の内容と同じか否かを動作制御手段１３が判断し（ステップ７１３）、このステップ７１３で選択操作の内容が同じと判断された場合は、ヘッドフォン２３からＡＭ／ＦＭラジオの音声出力を出力し、ステップ７０９に進み動作処理を継続させる。
【００７２】
また、ステップ７１３で選択操作の内容は異なると判断した場合は、後席ユーザーからの操作よりも前席ユーザーからの操作の方を優先させるため、動作制御手段１３は第２の操作手段１２の操作を無効とし（ステップ７１４）、ステップ７０９へと進み動作処理を継続させる。
【００７３】
このステップ７１４の判断については、図６の説明時と同様に、第１の操作手段１１によりＡＭ／ＦＭラジオを選択し、例えばＦＭラジオのｃｈ１、音量：１０レベル、左右バランス：均等と設定し受信している場合に第２の操作手段１２よりＡＭ局の選択、ＦＭ局の１ｃｈ以外の選択、ＡＭ／ＦＭラジオを選択するとともに音量７レベルへの調節、ＡＭ／ＦＭラジオを選択するとともに左右バランス：６対４への調節等の操作があった場合は、第２の操作手段からの操作を受け付けてしまうと第１の操作手段の設定条件が変更されてしまうため、このような状況の際には、第２の操作手段からの操作を無効とするようにしている。
【００７４】
次にステップ５１６の処理について、図８のフローチャートを用いて説明する。
まずステップ８００（ステップ５１６）を経て動作制御手段１３が第１の操作手段１１からの選択操作の有無を判断し（ステップ８０１）、このステップ８０１で第１の操作手段１１からの選択操作あり（例えば第１の操作手段１１よりテープ選択部１１１５の操作あり）と判断した場合は、第１、２の選択手段１５、１６の端子を１５ａ、１６ａ側に切換える（ステップ８０２）。
【００７５】
このステップ８０２の処理後、第１、第２のスピーカ１９、２２及びヘッドフォン２３より音声を出力させる（ステップ８０３）。この際、既に第１、２の増幅手段１８、２１はスタンバイ状態が解除されている。
このステップ８０３の動作処理後、動作制御手段１３が第２の操作手段１２からの選択操作の有無を判断し（ステップ８０４）、このステップ８０４で第２の操作手段１２からの選択操作ありと判断した場合、ステップ８０４での操作は単なる選択モードのみの操作であるか否か、即ち第２の操作手段１２の操作部１２１２〜１２１４を用いたか否かを動作制御手段１３が判断する（ステップ８０５）。
【００７６】
ステップ８０５の処理後、動作制御手段１３が第２の選択手段１６に対してテーププレーヤー１４ｂ側の端子１６ｂを選択するように動作コントロール指令を出力して、例えばテーププレーヤー１４ｂの動作を選択し（ステップ８０６）、動作制御手段１３は第２の減衰量調節手段２０に対して動作コントロール信号を出力し、第２の増幅手段２１の減衰量を大きくして第２のスピーカ２２からの音声信号の出力を防止する（ステップ８０７）。
このステップ８０７の動作処理後、図１０へ進み継続させる（ステップ８０８）。
【００７７】
なお、ステップ８０１で選択操作なしと判断した場合は、動作制御手段１３が第２の操作手段１２からの選択操作の有無を判断し（ステップ８０９）、このステップ８０９で第２の操作手段１２からの選択操作あり（例えば第２の操作手段１２よりＣＤプレーヤー選択部１２１３の操作あり）と判断した場合は、動作制御手段１３は第２の減衰量調節手段２０に対して動作コントロール信号を出力し、第２の増幅手段２１の減衰量を大きくして第２のスピーカ２２からの音声信号の出力を防止する（ステップ８１０）。
なお、ステップ８０９で操作なしと判断された場合は、ステップ８０１に戻り、処理を繰り返す。
【００７８】
ステップ８１０の動作処理後、第２の選択手段１６の端子のみを１６ｃ側に切換え（ステップ８１１）、ヘッドフォン２３よりＣＤの音声を出力し（ステップ８１２）、ステップ８０８へ進み動作処理が継続される。
【００７９】
さらに、ステップ８０５で単なる選択モードの処理のみでないと判断した場合、動作制御手段１３は第２の操作手段１２の操作を無効とし（ステップ８１３）、ステップ８０８へ進む。
このステップ８１３の判断については、図６のステップ６１４と同様に行うものであり、この説明を省略する。
【００８０】
次にステップ５２０の処理について、図９のフローチャートを用いて説明する。
まずステップ９００（ステップ５２０）を経て動作制御手段１３が第１の操作手段１１からの選択操作の有無を判断し（ステップ９０１）、このステップ９０１で第１の操作手段１１からの選択操作あり（例えば第１の操作手段１１よりテープ選択部１１１５の操作あり）と判断した場合は、動作制御手段１３から動作コントロール信号を出力して第１、２の増幅手段１８、２１をスタンバイ解除状態にする（ステップ９０２）。
【００８１】
このステップ９０２の処理後、動作制御手段１３が第２の減衰量調節手段２０に動作コントロール信号を出力して第２の増幅手段２１の減衰量を大きくし（ステップ９０３）、動作制御手段１３はカセットテーププレーヤー１４ｂを選択するため第１の選択手段１５の端子のみを１５ｂ側に切換え（ステップ９０４）、このステップ９０４の処理後、第１のスピーカ１９より音声を出力させる（ステップ９０５）。このステップ９０５の動作の際、本来は第２のスピーカ２２側にも音声出力されるが、第２の減衰量調節手段により第２の増幅手段の減衰量を大きくされるため、前席ユーザーと後席ユーザーとのそれぞれに支障がないレベルとなっており、実際にはあたかも第２のスピーカ２２から音声出力がないようになっている。
【００８２】
このステップ９０５の動作処理後、動作制御手段１３が第２の操作手段１２からの選択操作の有無を判断し（ステップ９０６）、このステップ９０６で第２の操作手段１２からの選択操作ありと判断した場合、ステップ９０６での操作は単なる選択モードのみの操作であるか否か、即ち第２の操作手段１２の操作部１２１２〜１２１４を用いたか否かを動作制御手段１３が判断する（ステップ９０７）。
【００８３】
ステップ９０７の処理後、動作制御手段１３が第２の選択手段１６に対して、ＡＭ／ＦＭチューナー部１４ａ側の端子１６ａを選択するように動作コントロール指令を出力して、ＡＭ／ＦＭチューナー部１４ａを選択し（ステップ９０８）、このステップ９０８の動作処理後、図１０へ進み動作を継続させる（ステップ９０９）。
【００８４】
なお、ステップ９０１で選択操作なしと判断した場合は、動作制御手段１３が第２の操作手段１２からの選択操作の有無を判断し（ステップ９１０）、このステップ９１０で第２の操作手段１２からの選択操作あり（例えば第２の操作手段１２よりＣＤプレーヤー選択部１２１３の操作あり）と判断した場合は、第２の選択手段１６の端子のみを１６ｃ側に切換え（ステップ９１１）、ヘッドフォン２３よりＣＤの音声を出力し（ステップ９１２）、このステップ９１２の処理後ステップ９０９へ進み動作処理を継続させる。
なお、ステップ９１０で操作なしと判断された場合は、ステップ９０１に戻り、処理を繰り返す。
【００８５】
さらに、ステップ９０６で単なる選択モードの処理のみでないと判断した場合は、ステップ９０６で判断された操作は第１の操作手段１１の現在の選択操作、即ちステップ９０１での選択操作の内容と同じか否かを動作制御手段１３が判断し（ステップ９１３）、このステップ９１３で選択操作の内容が同じと判断された場合は、ヘッドフォン２３からＡＭ／ＦＭラジオの音声出力を出力し、ステップ９０９に進み動作処理を継続させる。
【００８６】
さらにまた、ステップ９１３で選択操作の内容は異なると判断した場合は、後席ユーザーからの操作よりも前席ユーザーからの操作の方を優先させるため、動作制御手段１３は第２の操作手段１２の操作を無効とし（ステップ９１４）、ステップ９０９へと進み動作処理を継続させる。
【００８７】
このステップ９１４の判断については、図７のステップ７１４と同様に行うものであり、この説明を省略する。
【００８８】
次に図６のステップ６０８、図７のステップ７０９、図８のステップ８０８、及び図９のステップ９０９の処理について、図１０のフローチャートを用いて説明する。
まず、ステップ１０００（図６のステップ６０８、図７のステップ７０９、図８のステップ８０８、図９のステップ９０９のいずれか）を経て動作制御手段１３が第１、２の操作手段１１、１２からの選択操作により装置が動作中か否かを判断し（ステップ１００１）、このステップ１００１で第１、２の操作手段１１、１２からの選択操作により装置が動作中と判断した場合、動作制御手段１３が第１の操作手段１１の電源／ボリューム操作部１１１１よりパワーオフ操作の有無を判断する（ステップ１００２）。
【００８９】
このステップ１００２で第１の操作手段１１からパワーオフ操作ありと判断した場合、動作制御手段１３が第１、２の増幅手段１８、２１に動作コントロール信号を出力してスタンバイ状態にする（ステップ１００３）。
なお、ステップ１００２以前で、第１、２の増幅手段１８、２１がスタンバイ状態になっている場合は、ステップ１００３の処理をせずにステップ１００４（後述する）に進む。
【００９０】
ステップ１００３の動作処理後、動作制御手段１３が第２の操作手段１２の電源操作部１２１１よりパワーオフ操作の有無を判断し（ステップ１００４）、このステップ１００４で第２の操作手段１２からパワーオフ操作ありと判断した場合、動作制御手段１３が装置の全体動作を終了させ（ステップ１００５）、図５のステップ５０１に戻り、操作受付状態となる（ステップ１００６）。
【００９１】
また、ステップ１００１で第１、２の操作手段１１、１２からの操作により装置は動作していないと判断した場合、動作制御手段１３が第１の操作手段の操作のみにより装置が動作しているか否かを判断し（ステップ１００７）、第１の操作手段１１の操作のみにより装置が動作していると判断した場合は、第１の操作手段１１の電源／ボリューム操作部１１１１よりパワーオフ操作の有無を判断する（ステップ１００８）。
【００９２】
ステップ１００８で第１の操作手段よりパワーオフ操作ありと判断した場合、動作制御手段１３が第１、２の増幅手段１８、２１に動作コントロール信号を出力してスタンバイ状態にする（ステップ１００９）。
なお、ステップ１００７以前で、第１、２の増幅手段１８、２１がスタンバイ状態になっている場合は、ステップ１００９の処理をせずにステップ１０１０（後述する）に進む。
【００９３】
ステップ１００９の動作処理後、動作制御手段１３は装置の全体動作を終了させ（ステップ１０１０）、図５のステップ５０１に戻り、操作受付待機状態となる。
【００９４】
また、ステップ１００２で操作なしと判断した場合、動作制御手段１３が第２の操作手段１２からのパワーオフ操作の有無を判断し（ステップ１０１２）、動作制御手段１３が第２の選択手段のモード選択設定を第１の選択手段が選択しているモードと同じモードに切換える（ステップ１０１３）。
【００９５】
このステップ１０１３の動作処理後、動作制御手段１３が第１の操作手段１１からのパワーオフ操作の有無を再度判断し（ステップ１０１４）、このステップ１０１４で操作ありと判断した場合、動作制御手段１３が第１、２の増幅手段１８、２１をスタンバイ状態にし（ステップ１０１５）、装置の全体動作を終了させ（ステップ１０１６）、図５のステップ５０１に戻り、操作受付待機状態になる（ステップ１０１７）。
【００９６】
また、ステップ１００７で第１の操作手段１１からの操作により動作していないと判断した場合、動作制御手段１３が第２の操作手段１２からの操作により装置が動作していると判断し、第２の操作手段１２の電源操作部１２１１からのパワーオフ操作の有無を判断し（ステップ１０１８）、このステップ１０１８で操作ありと判断した場合、動作制御手段１３が装置の全体動作を終了させ（ステップ１０１９）、図５のステップ５０１に戻り、操作受付待機状態になる（ステップ１０２０）。
【００９７】
さらに、ステップ１００４で操作なしと判断した場合、ステップ１０１８で操作なしと判断した場合は、第１、２の増幅手段１８、２１のスタンバイ状態を継続し（ステップ１０２４）、ヘッドフォン２３のみより音声を出力し（ステップ１０２５）、第１、２の操作手段１１、１２への操作に基づき、所定の動作処理を行う（操作に対応する所定のステップに進む）（ステップ１０２６）。
【００９８】
また、ステップ１０１２で操作なしと判断した場合、第１、２の操作手段１１、１２への操作に基づき、所定の動作処理を行う（操作に対応する所定のステップに進む）（ステップ１０２１）。
【００９９】
またさらに、ステップ１００８で操作なしと判断した場合、ステップ１０１４で操作なしと判断した場合は、第１、２のスピーカ１９、２２、及びヘッドフォン２３への音声出力を継続し（ステップ１０２２）、第１、２の操作手段１１、１２への操作に基づき、所定の動作処理を行う（操作に対応する所定のステップに進む）（ステップ１０２３）。
【０１００】
ここで、図１１を用いて上述した本発明の実施の形態１の動作状態について簡単に説明する。
図１１は、第１、２の操作手段の操作状態と第１、２の選択手段の選択状態との関係を簡単にまとめた説明図である。
【０１０１】
（１）第１の操作手段：パワーオン，  第２の操作手段：パワーオンの場合
第１、２の増幅手段はスタンバイ解除状態となっており、第２の増幅手段に対する減衰量の調節状態は大きくされている。
第１のスピーカは音源１を出力、第２のスピーカは出力停止状態、ヘッドフォンは音源２を出力する。
（２）第１の操作手段：パワーオン，  第２の操作手段：パワーオフの場合
第１、２の増幅手段はスタンバイ解除状態となっており、第２の増幅手段に対する減衰量の調節状態はない。
第１のスピーカ、第２のスピーカ、ヘッドフォンともに音源１を出力する。
【０１０２】
（３）第１の操作手段：パワーオフ，  第２の操作手段：パワーオンの場合
第１、２の増幅手段はスタンバイ状態となっており、第２の増幅手段に対する減衰量の調節状態はない。
ヘッドフォンのみ音源１を出力し、第１、２のスピーカからは音声の出力はない。
（４）第１の操作手段：パワーオフ，  第２の操作手段：パワーオフの場合
第１、２の増幅手段はスタンバイ状態となっており、第２の増幅手段に対する減衰量の調節状態はなく、第１、２のスピーカ、及びヘッドフォンからの音声出力もない。
【０１０３】
従って、上記のように構成したことにより、１つの車載用音響装置のみで、前席のユーザーが選択した音源と、後席のユーザーが選択した音源とをそれぞれ同時に選択することができるので、装置の共有化が図れるとともに、前席、後席それぞれのユーザーが良好に音声を聴取することができるので、装置の利便性が向上する。
【０１０４】
また、後席からの操作よりも前席からの操作の方に優先権を持たせたため、前席のユーザーの意志に反したモード切換えが起こることがないため、前席のユーザーにとって装置の利便性が向上する。
【０１０５】
なお、上記した実施の形態１では第１の操作手段により、ＡＭ／ＦＭラジオチューナー部の例えばＡＭ放送局を選択している場合でも、チューナー部は１つしか存在しないため第２の操作手段によりＦＭ局を選択することはできないようになっている。
また、第１の操作手段がＡＭ１ｃｈを選択している場合に、第２の操作手段がＡＭ２ｃｈを選択することについても同様である。
単に、第１の操作手段がＡＭ２ｃｈを選択している際、第２の操作手段がＡＭ２ｃｈを選択することについては、操作が受け付けられ、第２のスピーカからの出力が停止され、第１のスピーカとヘッドフォンとからＡＭ２ｃｈの音声信号が出力される。
【０１０６】
実施の形態２．
上記した実施の形態１では、第１の選択手段１５の選択と第２の選択手段１６選択とは各々独立し、各々連動する構成にしていなかったが、図１２に示すように第２の選択手段１６０に第１の選択手段１５が選択した音声信号を入力する端子１６０ａを設けるように構成しても良く、このように構成することにより第１の選択手段１５と第２の選択手段１６０とを連動し合えるようにでき、スムーズな選択動作が行え、処理速度を向上させることができる。
【０１０７】
実施の形態３．
上記した実施の形態１、２では、第２の操作手段１２とヘッドフォン２３については有線式のもので説明したが、図１３に示すように構成しても良い。
即ち、１２０は赤外線信号を発する赤外線式の第２の操作手段、１３０は動作制御手段であり、この動作制御手段１３０内には第２の操作手段１２０から発せられた赤外線を受光する赤外線受光部１３１が設けるとともに、２３０は赤外線式のヘッドフォンであり、第２の選択手段１６が選択した音声信号を赤外線信号に変換する赤外線信号変換部２３１、この赤外線信号変換部２３１が変換出力した赤外線をヘッドフォン２３０に向けて発光する赤外線信号発光部２３２を設けるように構成しても良く、同等の効果が得られる。
【０１０８】
実施の形態４．
上記した実施の形態１〜３では、第２の操作手段１２からの操作よりも第１の操作手段１１からの操作の方を優先させるように説明したが、第１、２の操作手段１１、１２からのそれぞれの操作を平等にしても良い。
このように第１、２の操作手段からの操作を平等にさせた際の動作について図１４〜図２０を用いて説明する。
【０１０９】
ここで、図１４は図１５〜図２０の車載用音響装置の全体動作処理の流れを示すフローチャーチであり、まず図１４を用いて説明する。
図１５は装置に対し所定の操作が行われた際の初期動作処理を示し、図１６〜図１９は図１５の初期動作処理後に第１、２の操作手段１１、１２への操作に応じていずれかの動作処理を行うことを示し、図２０は図１６〜図１９のいずれかの動作処理後装置の動作を終了させる後期動作処理を示している。
このように本実施の形態４の車載用音響装置の動作は図１５の動作処理から図１６〜図１９のいずれかの処理を経て図２０の動作処理を行うようになっている。
なお、上記した実施の形態１と同一または相当部分には同一符号を付してその説明を省略する。
【０１１０】
まず、いずれかの操作により動作が開始され（ステップ１５００）、このステップ１５００の操作が第１の操作手段１１に設けられた電源／ボリューム操作部１１１１からのパワーオン操作か否かを動作制御手段１３が判断する（ステップ５０１）。
このステップ５０１の動作以降は図５と同様なので、説明を省略する。
ステップ５０５で第１、２のスピーカ、及びヘッドフォンより音声出力動作後、ステップ１５０１へ進む。
【０１１１】
また、ステップ５１０でヘッドフォンより音声出力動作後、ステップ１５０２へ進む。
さらに、ステップ５１５で第１、２のスピーカ、及びヘッドフォンより音声出力動作後、ステップ１５０３へ進む。
またさらに、ステップ５１９でヘッドフォンのみより音声出力動作後、ステップ１５０４へ進む。
【０１１２】
次にステップ１５０１の処理について、図１６のフローチャートを用いて説明する。
まずステップ１６００（ステップ１５０１）を経て動作制御手段が第１の操作手段１１からの選択操作の有無を判断する（ステップ６０１）。このステップ６０１以降ステップ６０３まで図６と同様なので、その説明を省略する。
【０１１３】
ステップ６０３の動作処理後、動作制御手段が第２の操作手段からのモード選択操作の有無を判断し（ステップ１６０１）、操作ありと判断した場合、第２の選択手段がカセットテーププレーヤー部を選択するようテーププレーヤーに対応する端子に切換え（ステップ１６０２）、動作制御手段が動作コントロール信号を第２の減衰量調節手段に対して出力して第２の増幅手段の減衰量を大きくし（ステップ１６０３）、ステップ１６０４へ進む。
また、ステップ１６０１で操作なしと判断した場合、ステップ１６０３へ進む。
【０１１４】
次にステップ１５０２の処理について、図１７のフローチャートを用いて説明する。
まずステップ１７００（ステップ１５０２）を経て動作制御手段が第１の操作手段１１からの選択操作の有無を判断する（ステップ７０１）。このステップ７０１以降はステップ７０５まで図７と同様なので、その説明を省略する。
【０１１５】
ステップ７０５の動作処理後、動作制御手段が第２の操作手段からのモード選択操作の有無を判断し（ステップ１７０１）、操作ありと判断した場合、動作制御手段１３が第２の選択手段のみをカセットテーププレーヤー側の端子に切換え（ステップ１７０２）、ステップ１７０３へ進む。
なお、ステップ１７０１で操作なしと判断した場合、ステップ１７０３に直接進む。
【０１１６】
次にステップ１５０３の処理について、図１８のフローチャートを用いて説明する。
まずステップ１８００（ステップ１５０３）を経て動作制御手段が第１の操作手段１１からの選択操作の有無を判断する（ステップ８０１）。このステップ８０１以降はステップ８０３まで図８と同様なので、その説明を省略する。
【０１１７】
ステップ８０３の動作処理後、動作制御手段が第２の操作手段からのモード選択操作の有無を判断し（ステップ１８０１）、操作ありと判断した場合、動作制御手段が動作コントロール信号を第２の減衰量調節手段に出力し、第２の増幅手段に対する減衰量を大きくし（ステップ１８０２）、第２の選択手段のみがＣＤプレーヤー部を選択するようＣＤプレーヤーに対応する端子に切換え（ステップ１８０３）、ヘッドフォンのみより音声出力を行わせ（ステップ１８０４）、ステップ１８０５へ進む。
また、ステップ１８０１で操作なしと判断した場合、ステップ１８０５へ進む。
【０１１８】
次にステップ１５０４の処理について、図１９のフローチャートを用いて説明する。
まずステップ１９００（ステップ１５０４）を経て動作制御手段が第１の操作手段１１からの選択操作の有無を判断する（ステップ９０１）。このステップ９０１以降はステップ９０５まで図９と同様なので、その説明を省略する。
【０１１９】
ステップ９０５の動作処理後、動作制御手段が第２の操作手段からのモード選択操作の有無を判断し（ステップ１９０１）、操作ありと判断した場合、動作制御手段１３が第２の選択手段のみをＣＤプレーヤー側の端子に切換え（ステップ１９０２）、ヘッドフォンのみより音声出力を行わせ（ステップ１９０３）、ステップ１９０４へ進む。
なお、ステップ１９０１で操作なしと判断した場合、ステップ１９０４に直接進む。
【０１２０】
次に図１６のステップ１６０４、図１７のステップ１７０３、図１８のステップ１８０５、及び図１９のステップ１９０４の処理について、図２０のフローチャートを用いて説明する。
まず、ステップ２０００（図１６のステップ１６０４、図１７のステップ１７０３、図１８のステップ１８０６、図１９のステップ１９０４のいずれか）を経て動作制御手段１３が第１、２の操作手段１１、１２からの選択操作により装置が動作中か否かを判断する（ステップ１００１）。この動作処理後、ステップ１００５まで図１０と同様であり、その説明を省略する。
【０１２１】
また、ステップ１００５の動作処理後、図１５のステップ１５０１に戻り、操作受付待機状態となる（ステップ２００１）。また、ステップ１０１６の動作処理後、図１５のステップ１５０１に戻り、操作受付待機状態になる（ステップ２００２）。
さらに、ステップ１０１９の動作処理後、図１５のステップ１５０１に戻り操作受付待機状態になる（ステップ２００３）、また、ステップ１０２０の動作処理後、図１５のステップ１５０１に戻り、操作受付待機状態となる（ステップ２００４）。
【０１２２】
さらに、ステップ１０１２で操作なしと判断した際は、操作に応じた所定のステップに進み（ステップ２００５）、ステップ１０２２の動作処理後、操作に応じた所定のステップに進み（ステップ２００６）、また、ステップ１０２５の動作処理後、操作に応じた所定のステップに進む（ステップ２００７）。
【０１２３】
従って、上記のように構成したことにより、第１、２の操作手段のそれぞれの操作に優先権を持たせない、即ち、他の操作により装置が動作している場合でも、前席から操作があればこの操作に対応してモード選択動作や機能動作を行うとともに、後席から操作があればこの操作に対応したモード選択動作や機能動作を行えるので、前席、後席の両ユーザーの意志に沿ったモード切換えが行え、ユーザーの意志どおりに装置を動作させることができ、装置の利便性が向上する。
【０１２４】
実施の形態５．
上記した実施の形態１〜４では、第１、２の操作手段により選択された第１、２の選択手段の設定を初期化する点について何ら説明していなかったが、図２１に示すようにイグニッション２１１の操作と連動させるようにして良い。
即ち、イグニッションオフ時からオンした際に、直前の設定に第２の選択手段からの設定操作内容が含まれている場合、一旦第２の操作手段によりパワーオフ操作をしなければならないという煩わしさが生じてしまうため、本実施の形態５ではイグニッションオフした際は第１、２の選択手段の設定を初期化するようにしたものであり、このように構成することにより、操作者の利便性が向上する。
【０１２５】
実施の形態６．
上記した実施の形態１〜実施の形態５では、第１の操作手段に対する操作と、第２の操作手段に対する操作との優先関係は動作制御手段内に予め設定していたが、図２２に示すように第１の操作手段１１に、第１の操作手段に対する操作か第２の操作手段に対する操作かのどちらか一方の操作を他方の操作より優先されるよう設定する優先設定手段としての優先設定操作部２２０１を設けるとともに、この優先設定操作部２２０１により設定された優先情報を点灯表示する表示部２２０２、２２０３を設けても良く、このように構成することにより、本装置の優先状況を瞬時に把握しやすくなり、操作者の利便性も向上する。
なお、表示部２２０２は第１の操作手段に対する操作が優先となっている際に点灯され、表示部２２０３は第２の操作手段に対する操作が優先となっている際に点灯されるようになっている。
【０１２６】
実施の形態７．
上記した実施の形態１〜６では、音源として、ＡＭ／ＦＭラジオチューナー部、カセットテーププレーヤー、及びＣＤプレーヤーとで構成するよう説明したが、例えばＭＤプレーヤーやＤＶＤプレーヤー、テレビチューナー等の音源を複数設けて構成しても良く、同等の効果が得られる。
【０１２７】
実施の形態８．
上記した実施の形態１〜６では、第１、２の減衰量調節手段により第１、２のスピーカそれぞれへの音声出力を調節していたが、第１の操作手段１１のバランス／フェーダー操作部１１１３のフェーダー操作により調節しても良く、同等の効果が得られる。
【０１２８】
【発明の効果】
この発明は、以上説明したように構成されているので、以下に示すような効果を奏する。
【０１２９】
この発明に係る車載用音響装置は、異なる複数の音源と、第１の使用者の操作に応じて第１の指示信号を発生する第１の操作手段と、第２の使用者の操作に応じて第２の指示信号を発生する第２の操作手段と、指令に基づき、音源のいずれかを選択する第１の選択手段と、指令に基づき、音源のいずれかを選択する第２の選択手段と、第１の選択手段が選択した音源の出力信号を増幅する第１の増幅手段と、第２の選択手段が選択した音源の出力信号を増幅する第２の増幅手段と、第１の増幅手段が増幅した信号を音声信号として出力する第１のスピーカと、第２の増幅手段が増幅した信号を音声信号として出力する第２のスピーカと、第２の選択手段が選択した音源の出力信号を出力するヘッドフォンと、指令に基づき第２の増幅手段の減衰量を調節する減衰量調節手段と、第１の操作手段により音源を選択した際は、この音源を第１の選択手段と第２の選択手段に選択させるとともに第１の増幅手段と第２の増幅手段を動作させて第１のスピーカと第２のスピーカとヘッドフォンから音声を出力させる動作制御手段を備え、動作制御手段は、第１の操作手段により第１の選択手段と第２の選択手段とが所定の音源を選択している際に、第２の操作手段が所定の音源と異なる音源を選択した場合、減衰量調節手段の減衰量を大きくするので、１つの装置で２つのメディア（音源）を選択することができ、利用者の利便性が向上するとともに、第１の選択手段と第２の選択手段が選択した音源が異なる場合でも、各々の音源の出力が混同されない。
【０１３０】
この発明に係る車載用音響装置の動作制御手段は、第１の選択手段が所定の音源を選択している際に、第２の選択手段が所定の音源と同じ音源を選択した際にも、減衰量調節手段の減衰量を大きくするので、第１、２の操作手段のそれぞれに対して操作されたか否かを判断でき、装置の利便性が向上する。
【０１３１】
この発明に係る車載用音響装置は、第１の操作手段は前席側に設け、第２の操作手段は後席側に設けたので、前席側の操作者および後席側操作者のいずれからも音源（メディア）を選択することができる。
【図面の簡単な説明】
【図１】  本発明の実施の形態１を示す車載用音響装置の全体構成図である。
【図２】  図１に示す車載用音響装置の要部の構成図である。
【図３】  図１に示す車載用音響装置の要部の構成図である。
【図４】  図１に示す車載用音響装置の全体動作を示すフローチャートである。
【図５】  図１に示す車載用音響装置の初期動作を示すフローチャートである。
【図６】  図１に示す車載用音響装置の中期動作を示すフローチャートである。
【図７】  図１に示す車載用音響装置の中期動作を示すフローチャートである。
【図８】  図１に示す車載用音響装置の中期動作を示すフローチャートである。
【図９】  図１に示す車載用音響装置の中期動作を示すフローチャートである。
【図１０】  図１に示す車載用音響装置の終期動作を示すフローチャートである。
【図１１】  図１に示す車載用音響装置の動作状態を示す説明図である。
【図１２】  本発明の実施の形態２を示す車載用音響装置の全体構成図である。
【図１３】  本発明の実施の形態３を示す車載用音響装置の全体構成図である。
【図１４】  本発明の実施の形態４を示す車載用音響装置の全体動作を示すフローチャートである。
【図１５】  図１４に示す車載用音響装置の初期動作を示すフローチャートである。
【図１６】  図１４に示す車載用音響装置の中期動作を示すフローチャートである。
【図１７】  図１４に示す車載用音響装置の中期動作を示すフローチャートである。
【図１８】  図１４に示す車載用音響装置の中期動作を示すフローチャートである。
【図１９】  図１４に示す車載用音響装置の中期動作を示すフローチャートである。
【図２０】  図１４に示す車載用音響装置の終期動作を示すフローチャートである。
【図２１】  本発明の実施の形態５を示す車載用音響装置の全体構成図である。
【図２２】  本発明の実施の形態６を示す車載用音響装置の要部の構成図である。
【図２３】  従来の車載用音響装置を示す全体構成図である。
【図２４】  従来の車載用音響装置の動作を示すフローチャートである。
【符号の説明】
１１  第１の操作手段    １２  第２の操作手段    １３  動作制御手段
１４  音源    １４ａ  ＡＭ／ＦＭラジオチューナー部
１４ｂ  カセットテーププレーヤー    １４ｃ  ＣＤプレーヤー
１５  第１の選択手段    １６  第２の選択手段
１７  第１の減衰量調節手段    １８  第１の増幅手段
１９  第１のスピーカ    ２０  第２の減衰量調節手段
２１  第２の増幅手段    ２２  第２のスピーカ    ２３  ヘッドフォン
１２０  第２の操作手段    １３０  動作制御手段    １３１  赤外線受光部
１６０  第２の選択手段    ２３０  ヘッドフォン
２３１  赤外線信号変換部    ２３２  赤外線発光部
２１１  イグニッション    ２２０１  優先設定操作部
【図１】
0003668613.tif 000002
【図２】
0003668613.tif 000003
【図３】
0003668613.tif 000004
【図４】
0003668613.tif 000005
【図５】
0003668613.tif 000006
【図６】
0003668613.tif 000007
【図７】
0003668613.tif 000008
【図８】
0003668613.tif 000009
【図９】
0003668613.tif 000010
【図１０】
0003668613.tif 000011
【図１１】
0003668613.tif 000012
【図１２】
0003668613.tif 000013
【図１３】
0003668613.tif 000014
【図１４】
0003668613.tif 000015
【図１５】
0003668613.tif 000016
【図１６】
0003668613.tif 000017
【図１７】
0003668613.tif 000018
【図１８】
0003668613.tif 000019
【図１９】
0003668613.tif 000020
【図２０】
0003668613.tif 000021
【図２１】
0003668613.tif 000022
【図２２】
0003668613.tif 000023
【図２３】
0003668613.tif 000024
【図２４】
0003668613.tif 000025